(57)【要約】      （修正有）【課題】コモンモード電流から発生するコモンモードノイズを最小限に低減するコモンモードノイズ低減回路の提供。【解決手段】  一次・二次間を絶縁する一次巻線Ｎｐ及び二次巻線Ｎｓを備えたコモンモードノイズ低減回路において、前記一次巻線と並列に可変抵抗ＲＶを備えてあるとともに、二次巻線にセンタータップ１を備え、このセンタータップと前記可変抵抗との間に、抵抗ＲｂとコンデンサＣｂとの直列回路２を接続し、前記可変抵抗の抵抗値を変更して、前記一次巻線と前記二次巻線との間に発生する等価容量のバランスを調整可能に構成してあることを特徴とするコモンモードノイズ低減回路。【選択図】図１
2008306229.tif 000002
【特許請求の範囲】
【請求項１】
一次・二次間を絶縁する一次巻線及び二次巻線を備えたコモンモードノイズ低減回路において、前記一次巻線と並列に抵抗を接続してあるとともに、二次巻線にセンタータップを備え、このセンタータップと前記抵抗との間に、抵抗とコンデンサとの直列回路を接続し、前記抵抗の抵抗値を調整して、前記一次巻線と前記二次巻線との間に発生する等価容量のバランスを調整可能に構成してあることを特徴とするコモンモードノイズ低減回路。
【請求項２】
前記一次巻線と並列に接続してある抵抗が、可変抵抗であることを特徴とする請求項１記載のコモンモードノイズ低減回路。
【発明の詳細な説明】
【技術分野】
【０００１】
本発明は、コモンモード電流から発生するコモンモードノイズのバランスを調整するコモンモードノイズ低減回路に関するものである。
【背景技術】
【０００２】
従来のコモンモードノイズ低減回路は、図４に示すように、一次巻線Ｎｐ及び二次巻線Ｎｓを備え、二次巻線Ｎｓにセンタータップ１を備え、一次巻線Ｎｐと二次巻線Ｎｓとを粗結合としている（例えば、特許文献１参照）。
【特許文献１】特開２００３−１８８０２０公報
【０００３】
トランスＴの一次巻線Ｎｐと二次巻線Ｎｓとを粗結合することにより、一次巻線Ｎｐと二次巻線Ｎｓとの間の等価容量Ｃ１，Ｃ２の容量値が小さくなり、インピーダンスが高くなることにより、コモンモードノイズ低減を図っている。
【発明の開示】
【発明が解決しようとする課題】
【０００４】
しかし、この手段において、等価容量Ｃ１，Ｃ２を０にすることは不可能であり、この等価容量Ｃ１，Ｃ２が、Ｃ１＝Ｃ２ならば良いが、ほとんどのコモンモードノイズ低減回路は、Ｃ１≠Ｃ２であり、この場合、図２に示すように、まだ多くのノイズが発生するという問題点が生じる。
【０００５】
本発明は、上記問題に鑑みてなされたものであり、コモンモード電流から発生するコモンモードノイズをさらに低減するコモンモードノイズ低減回路を提供する。
【課題を解決するための手段】
【０００６】
上記課題を解決するために、本発明に係るコモンモードノイズ低減回路は、一次・二次間を絶縁する一次巻線及び二次巻線を備えたコモンモードノイズ低減回路において、前記一次巻線と並列に抵抗を接続してあるとともに、二次巻線にセンタータップを備え、このセンタータップと前記抵抗との間に、抵抗とコンデンサとの直列回路を接続し、前記抵抗の抵抗値を調整して、前記一次巻線と前記二次巻線との間に発生する等価容量のバランスを調整可能に構成してあることを特徴とする。
前記一次巻線と並列に接続してある抵抗が、可変抵抗であることを特徴とする。
【発明の効果】
【０００７】
本発明によれば、上記構成により、抵抗を用いてトランスの一次巻線と二次巻線との間に発生する等価容量のバランスを調整することにより、見かけ上のバランスがとれ、コモンモードノイズを最小限にすることができる効果がある。
【０００８】
また、等価容量のバランスを調整するために用いる抵抗が可変抵抗であると、上記効果に加えて、等価容量のバランスの調整が容易である上、微調整も容易に行え、作業性の向上のみならず、正確性も向上するという効果もある。
【発明を実施するための最良の形態】
【０００９】
発明を実施するための最良の形態に係る回路図を図１に示す。この実施形態に係るコモンモードノイズ低減回路は、一次・二次間を絶縁する一次巻線Ｎｐ及び二次巻線Ｎｓを備えたトランスＴを有する。このコモンモードノイズ低減回路は、一次巻線Ｎｐと並列に可変抵抗ＲＶを接続してある。なお、本発明においては、必ずしも可変抵抗ＲＶを接続する必要はなく、一次巻線と二次巻線との間に発生する等価容量のバランスを調整するための最適抵抗値が予め分かっている場合は、単に抵抗を用いてもよい。
【００１０】
二次巻線Ｎｓにセンタータップ１を設けてあり、このセンタータップ１と一次側に設けた可変抵抗ＲＶとの間に、抵抗ＲｂとコンデンサＣｂとの直列回路２を接続してある。また、この直列回路２は可変抵抗ＲＶの抵抗値を変更可能に接続してある。センタータップ１には電圧検出抵抗Ｒの一端を接続し、この電圧検出抵抗Ｒの他端を接地してある。
【００１１】
本実施形態に係るコモンモードノイズ低減回路は以上のように構成してあり、以下のように作用する。先ず、抵抗ＲｂとコンデンサＣｂとの直列回路２の一端を可変抵抗ＲＶ１の中点に接続する。コモンモードノイズ低減回路は図４に示すように、等価容量Ｃ１，Ｃ２が存在する。等価容量Ｃ１，Ｃ２が、Ｃ１＝Ｃ２の場合、電圧波形は、図３に示すように、振幅が小さい波形となる。しかし、ほとんどのコモンモードノイズ低減回路は、Ｃ１≠Ｃ２であり、この場合、図２に示すように、ノイズが発生する。なお、このノイズについては、センタータップ１に接続した電圧検出抵抗Ｒにより検出することができ、本実施例においても、電圧検出抵抗Ｒで検出している。
【００１２】
正側に電圧波形が偏っている場合、等価容量Ｃ１，Ｃ２は、Ｃ１＞Ｃ２となる。そのため、可変抵抗ＲＶ１と接続する直列回路２の一端を等価容量Ｃ１側に接続することにより、等価容量Ｃ１，Ｃ２のバランスを調整し、図３に示すようにコモンモードノイズを低減することができる。
【００１３】
一方、負側に電圧波形が偏っている場合、等価容量Ｃ１，Ｃ２は、Ｃ１＜Ｃ２となる。そのため、可変抵抗ＲＶ１と接続する直列回路２の一端を等価容量Ｃ２側に接続することにより、等価容量Ｃ１，Ｃ２のバランスを調整し、図３に示すようにコモンモードノイズを低減することができる。
【００１４】
以上より、抵抗を用いてトランスＴの一次巻線Ｎｐと二次巻線Ｎｓとの間に発生する等価容量Ｃ１，Ｃ２のバランスを調整することにより、見かけ上のバランスがとれ、コモンモードノイズを最小限に低減することができる。さらに、可変抵抗ＲＶを用いて等価容量Ｃ１，Ｃ２のバランスを調整することにより、等価容量Ｃ１，Ｃ２のバランスの調整が容易である上、微調整も容易に行え、作業性の向上のみならず、正確性も向上する。
【産業上の利用可能性】
【００１５】
本発明によれば、上記構成により、抵抗を用いてトランスの一次巻線と二次巻線との間に発生する等価容量のバランスを調整することにより、見かけ上のバランスがとれ、コモンモードノイズを最小限にすることができ、産業上利用可能である。
【００１６】
また、等価容量のバランスを調整するために用いる抵抗が可変抵抗であると、上記効果に加えて、等価容量のバランスの調整が容易である上、微調整も容易に行え、作業性の向上のみならず、正確性も向上し、産業上利用可能である。
【図面の簡単な説明】
【００１７】
【図１】本発明に係るコモンモードノイズ低減回路における発明を実施するための最良の形態の回路図である。
【図２】図１図示コモンモードノイズ低減回路におけるコモンモードノイズの調整を行う前の電圧波形図である。
【図３】図１図示コモンモードノイズ低減回路におけるコモンモードノイズの調整を行った後の電圧波形図である。
【図４】図１図示コモンモードノイズ低減回路の等価回路図である。
【符号の説明】
【００１８】
１  センタータップ
２  直列回路
Ｔ  トランス
Ｎｐ  トランスＴの一次巻線
Ｎｓ  トランスＴの二次巻線
ＲＶ  可変抵抗
Ｒｂ  抵抗
Ｃｂ  コンデンサ
Ｒ  電圧検出抵抗
Ｃ１，Ｃ２  等価容量
【図１】
2008306229.tif 000003
【図２】
2008306229.tif 000004
【図３】
2008306229.tif 000005
【図４】
2008306229.tif 000006